(57)【要約】  本発明は、携帯用端末機の持ち手構造に関するもので、より詳しくはタブレットＰＣのような携帯用端末機の背面に設置した板型持ち手構造に関するものである。本発明はタブレットＰＣの背面の角に固定される固定部５と、中央に穿孔部１と、前記固定部５、５’の間に形成された身体挿入部３を含み、前記身体挿入部３は、指等が容易に入れられるように穿孔部側へ凹んで湾曲形成し、前記穿孔部１は円形であることが好ましい。前記持ち手の材質としては皮革又は織物生地を使用する。【選択図】図１
2014527335.tif 000002
【特許請求の範囲】
【請求項１】
携帯用端末機の背面に形成される板型持ち手構造であって、前記背面の角４ヶ所に角を囲む形態で固定される固定部（５）と、中央に指が挿入できる穿孔部（１）と、前記固定部（５）をつなぐ４辺に指が入れられるように形成された身体挿入部（３）が上下対称で構成され、
前記身体挿入部（３）は、穿孔部側へ凹んで湾曲形成されたことを特徴とする携帯用端末機の持ち手構造。
【請求項２】
前記穿孔部（１）は円形であることを特徴とする、請求項１に記載の携帯用端末機の持ち手構造。
【請求項３】
前記持ち手は、その材質が皮革又は織物であることを特徴とする、請求項１又は請求項２に記載の携帯用端末機の持ち手構造。
【発明の詳細な説明】
【技術分野】
【０００１】
本発明は、携帯用端末機の持ち手構造に関する。より詳しくは、タブレットＰＣのような携帯用端末機の背面に設置した板型持ち手構造に関する。
【背景技術】
【０００２】
最近脚光を浴びているアイフォンのようないわゆるタブレットピーシー（ＰＣ）は、バッテリーとメモリー等の性能発達により軽量化して携帯が容易になるに伴い、段々とさらに広い画面の携帯用端末機が市場に出ている。
【０００３】
しかしこのような携帯用端末機の画面が広くなることにより、必然的に機器の幅が広くならざるを得ず、手が小さな使用者には片手だけで機器を持って操作するのが難しくなってきている。
【０００４】
そこで、本発明者は、機器の厚さ等外形を変形させず使用者も片手だけで機器を容易に操作できるように、アイフォンのようなスマートフォンに適用する帯型（ベルト型）持ち手構造を開発して韓国で出願（出願番号第１０−２０１１−００５６４７７号、２０１１年５月６日出願、発明者、キム・ヨンソン）した事がある。
【０００５】
しかし前記帯型持ち手は、スマートフォンより大きいタブレットＰＣを把持するには効率的ではない。なぜなら、大きくて重さがより重いタブレットＰＣにはいくつかの指又は手自体が多様な方式で把持されなければならないが、単方向の帯は身体と接触する部分が狭く、把持方式も制限的であるためである。
【０００６】
よって、本発明者は、タブレットＰＣの背面に板型持ち手、すなわち持ち手板を取付け、さらに便利な方式で使用できるように形状を一定に考案することにより、このような問題点を解決した。
【発明の概要】
【発明が解決しようとする課題】
【０００７】
本考案の目的は、携帯用端末機、特にタブレットＰＣ等に取付けて使用されることができる持ち手を提供することにある。
【０００８】
本考案のまた他の目的は、携帯用端末機に持ち手を提供し、持ち手の構造が使用者に楽で使用が便利な構造を提供することにある。
【０００９】
本考案のまた他の目的は、携帯用端末機に持ち手を提供し、持ち手の機能と共に機器を保護する機能もすることができる持ち手を提供することにある。
【課題を解決するための手段】
【００１０】
前記課題を達成するために、携帯用端末機の背面に形成される持ち手構造であって、前記背面の角に固定される固定部５と、中央に穿孔部１と、前記固定部５の間に形成された身体挿入部３を含むことを特徴とする。
【００１１】
前記身体挿入部３は、指等が容易に入れられるように穿孔部側へ凹んで湾曲形成するのが好ましい。
【００１２】
前記穿孔部１は、円形であることが望ましく、持ち手の材質は皮革又は織物生地を使用するのが好ましい。
【発明の効果】
【００１３】
本発明による持ち手は、図３から９で示すように、把持が堅固ながらもどんな方向でも把持が可能で、また自由に方向を転換することができる。
【００１４】
特に天然皮革や肌触りが良い織物生地等を使用すれば、使用上の満足度を高めることができ、機器が落下した際に機器を保護する緩衝の役割をする利点もある。
【図面の簡単な説明】
【００１５】
【図１】本発明の端末機持ち手が装着された機器の斜視図である。
【図２】図１の分解斜視図である。
【図３】機器カバーの内側を示した斜視図である。
【図４】縦パレット式持ちの使用状態図である。
【図５】縦中央差込持ちの使用状態図である。
【図６】図５の側面図である。
【図７】縦側面持ちの使用状態図である。
【図８】図７の側面図である。
【図９】横側面持ちの使用状態図である。
【図１０】横中央差込持ちの使用状態図である。
【発明を実施するための形態】
【００１６】
以下、本発明の思想を明確かつ容易に理解できるように、添付した図面を参照しながら説明する。本発明で使用する用語「携帯用端末機」は、いわゆる携帯電話、スマートフォン、タブレットＰＣ、ＰＤＡ、ＰＭＰ、電子ブックリーダー機等を総称する。
【００１７】
本明細書で使用する用語「背面」は、機器本体ケースの後部分の蓋面を指称するか、又は端末機（以下「機器」ともいう）本体ケースの後部分に装着される別途の保護カバーの表面を意味する。
【００１８】
図１は、本発明の好ましい実施例として、タブレットＰＣの背面に板型持ち手を具現したものの斜視図である。タブレットＰＣ本体１０の背面１２に、本発明の板型持ち手が設置されたもので、板型持ち手は本体背面１２の角４ヶ所に結着される固定部５が角を囲む模様（Ｌ字型模様）に形成され、中央には円形の穿孔部１が形成され、固定部と固定部をつなぐ辺である身体（指）挿入部３は、穿孔部側へ緩慢な曲線（湾曲）で形成されて、指の挿入が柔らかく誘導されるように処理されている。
【００１９】
このように形成された本発明の持ち手は、タブレットＰＣ等の本体自体の背面や、保護カバーの背面に設置される。本発明の実施方法は、固定部５を機器本体の背面カバー１２の角に接着するか、背面カバーが本体１４と結合する部分に構造的に挟まるようにすることができる。本実施例では、図３で示すように、固定部５を背面カバー１２内側に接着した後、図１のように本体１４と構造的に挟まるようにする方式にした。
【００２０】
しかし、固定方法はこのような方法に限定されず多様な構造と方法が使用でき、機器の特性又は必要に応じて当業者が容易に選択できるものであるため詳細な説明は省略する。
【００２１】
図４ないし図１０で示すように、本発明は、４ヶ所の固定部５と固定部の間の身体挿入部３が適当な大きさで配列されて、固定部を除いた残り、すなわち側面身体挿入部３と中央の穿孔部１すべて本体の背面と若干の間隔で離隔して手や指が挿入されることができるようにした。
【００２２】
よって、本発明の持ち手の材質は適当な弾性を有するものが望ましく、天然皮革又は人造皮革や合成樹脂製織物等が使用できる。本発明の持ち手は、一つ又は複数の指を差込んで使用するが、すべての方向にすべての部分が使用（接触）されるため、中央の穿孔部の模様も円形であることが好ましいが、必ずしもこれに限定されるものではない。
【００２３】
円形である場合、すべての方向に緩慢に傾斜をなして、傾斜面に沿って指の移動が自然に誘導され、模様も安定的で好ましい形態と言える。
【００２４】
また、身体接触部５３（指差込み部）の湾曲形状は、使用時にベルトの内側に挟まれた指の背と接触する面積が狭くて着用感がよく、使用時に必要に応じて機器の方向を転換する際に抵抗が少なく、繰り返される使用によってベルトの中央部がめくれる（ねじれる）ことを防止できるという利点がある。
【００２５】
このように形成された本発明の効果を図４から１０までの使用状態図を参考にしながら説明する。
【００２６】
図４は縦に使用しながら横に方向転換をしやすい姿勢であり、図５も絵を描く時に絵の具パレットを持つような方式で縦横の方向転換が容易な方法である。図６は図５を他の角度から撮影したものである。
【００２７】
図７は縦に立てて持つ方法であり、図８は図７を側面から見たものである。図９はタブレットＰＣを横長方向に使用する際に持つ方法である。このような方法は、習うものではなく使用者が身体の本能に従って自然にそう持つようになっている。図１０も横長方向で指や手首の力の弱い使用者が持つことができる方法といえる。
【００２８】
このように本発明は、どの方向にもどんな姿勢でも自由に持って自由に方向を転換することができるもので、最近脚光を浴びているタブレットＰＣや電子図書（ｅ−Ｂｏｏｋ）リーダー機等に非常に有用なアクセサリーといえよう。
【００２９】
これまで本明細書で説明した実施例は、本発明の思想を明確にするために概念を主として説明したものである。したがって、本発明の保護範囲は、上でみた実施例に限定されず、請求の範囲によって決定されるべきである。
【図１】
2014527335.tif 000003
【図２】
2014527335.tif 000004
【図３】
2014527335.tif 000005
【図４】
2014527335.tif 000006
【図５】
2014527335.tif 000007
【図６】
2014527335.tif 000008
【図７】
2014527335.tif 000009
【図８】
2014527335.tif 000010
【図９】
2014527335.tif 000011
【図１０】
2014527335.tif 000012
【国際調査報告】
2014527335.tif 000013
2014527335.tif 000014
2014527335.tif 000015
2014527335.tif 000016